(57)【要約】  【課題】二枚以上重なった状態のパックが取り出されてしまうという不具合を抑制し得るパック押さえ装置、及び、当該パック押さえ装置を備えたパックスタンドを提供する。  【解決手段】パック押さえ装置を、複数枚重ね合わされた同一形状のパックの縁部に臨み得るように設けられたヘッドを備えてなり、前記ヘッドが、最も外側に配されたパックを順次一枚ずつ取り出す際に、前記最も外側に配されたパックの縁部と次のパックの縁部との間に一時的に介在して、前記外側に配されたパックと前記次のパックとの分離を促すための捌き用の引っ掛け要素を備えるものとした。また、このパック押さえ装置を備えたパックスタンドを提供する。【選択図】図１
2016145054.tif 000002
【特許請求の範囲】
【請求項１】
複数枚重ね合わされた同一形状のパックの縁部に臨み得るように設けられたヘッドを備えてなり、
前記ヘッドが、最も外側に配されたパックを順次一枚ずつ取り出す際に、前記最も外側に配されたパックの縁部と次のパックの縁部との間に一時的に介在して、前記外側に配されたパックと前記次のパックとの分離を促すための捌き用の引っ掛け要素を備えたものであるパック押さえ装置。
【請求項２】
前記引っ掛け要素が、先端をパック側に突出させたものである請求項１記載のパック押さえ装置。
【請求項３】
前記ヘッドが、前記引っ掛け要素を前記パックの重ね合わせ方向に所定のピッチで複数個備えている請求項２記載のパック押さえ装置。
【請求項４】
前記引っ掛け要素が、鋭利な先端をパック側に突出させた爪である請求項２又は３記載のパック押さえ装置。
【請求項５】
前記ヘッドが、重ね合わされた状態のパックの縁部に臨み得るように設けられたものである請求項１、２、３又は４記載のパック押さえ装置。
【請求項６】
前記ヘッドが、前後方向に重ね合わされた状態のパックの上縁部に臨み得るように設けられたものである請求項１、２、３、４又は５記載のパック押さえ装置。
【請求項７】
前記ヘッドが、上下方向に重ね合わされた状態のパックの縁部に臨み得るように設けられたものである請求項１、２、３、４又は５記載のパック押さえ装置。
【請求項８】
前記ヘッドが、重力によりパックの上縁部に押し付けられるものである請求項５又は６記載のパック押さえ装置。
【請求項９】
複数枚重ね合わされたパックを保持するスタンド本体と、このスタンド本体に支持され、前記ヘッドを前記パックに臨み得るように配した請求項１〜８何れかに記載のパック押さえ装置とを具備してなるパックスタンド。
【請求項１０】
複数枚重ね合わされたパックを起立した状態で保持するスタンド本体と、このスタンド本体に支持され、前記ヘッドを前記パックに臨み得るように配した請求項１〜８何れかに記載のパック押さえ装置とを具備してなるパックスタンド。
【発明の詳細な説明】
【技術分野】
【０００１】
本発明は、食品等を包装するパックを取り出すためのパック押さえ装置、及び、このパック押さえ装置を備えたパックスタンドに関する。
【背景技術】
【０００２】
例えば、スーパーマーケットにおける総菜売り場等においては、テーブル上に、惣菜等の食品を包装する薄肉プラスチック製のパック（例えば、非特許文献１を参照）が、複数重ね合わされた状態で置かれているのが通常である。そして、食品の購入者等の利用者は、重ね合わされた状態の複数のパックから一つのパックを取り出し、そのパックにトング等を用いて食品を詰めるようにしている。
【０００３】
ところが、重ね合わされた複数のパックは、相互に密着している場合が多く、利用者が誤って二枚以上重なった状態のパックを取り出してしまうという不具合がある。この際、利用者は、誤って取り出したパックを手に触れた上で、元の位置に戻す場合もあり、衛生上も好ましいものではない。
【先行技術文献】
【特許文献】
【０００４】
【非特許文献１】”スミ株式会社ウェブサイト”、〔ｏｎｌｉｎｅ〕、〔平成２７年１月３０日検索〕、インターネット（ＵＲＬ：ｈｔｔｐ：／／ｗｗｗ．ｓｕｍｉ−ｅｓｕｃｏｎ．ｃｏ．ｊｐ／ｐｒｏｄｕｃｔ／）
【発明の概要】
【発明が解決しようとする課題】
【０００５】
本発明は、以上のような事情に着目してなされたもので、二枚以上重なった状態のパックが取り出されてしまうという不具合を抑制し得るパック押さえ装置、及び、当該パック押さえ装置を備えたパックスタンドを提供することにある。
【課題を解決するための手段】
【０００６】
すなわち、本発明は次の構成をなしている。
【０００７】
請求項１に記載のパック押さえ装置は、複数枚重ね合わされた同一形状のパックの縁部に臨み得るように設けられたヘッドを備えてなり、前記ヘッドが、最も外側に配されたパックを順次一枚ずつ取り出す際に、前記最も外側に配されたパックの縁部と次のパックの縁部との間に一時的に介在して、前記外側に配されたパックと前記次のパックとの分離を促すための捌き用の引っ掛け要素を備えたものである。
【０００８】
請求項２に記載のパック押さえ装置は、請求項１記載の構成において、前記引っ掛け要素が、先端をパック側に突出させたものである。
【０００９】
請求項３に記載のパック押さえ装置は、請求項２記載の構成において、前記ヘッドが、前記引っ掛け要素を前記パックの重ね合わせ方向に所定のピッチで複数個備えている。
【００１０】
請求項４に記載のパック押さえ装置は、請求項２又は３記載の構成において、前記引っ掛け要素が、鋭利な先端をパック側に突出させた爪である。
【００１１】
請求項５に記載のパック押さえ装置は、請求項１、２、３又は４記載の構成において、前記ヘッドが、重ね合わされた状態のパックの縁部に臨み得るように設けられたものである。
【００１２】
請求項６に記載のパック押さえ装置は、請求項１、２、３、４又は５記載の構成において、前記ヘッドが、前後方向に重ね合わされた状態のパックの上縁部に臨み得るように設けられたものである。
【００１３】
請求項７に記載のパック押さえ装置は、請求項１、２、３、４又は５記載の構成において、前記ヘッドが、上下方向に重ね合わされた状態のパックの縁部に臨み得るように設けられたものである。
【００１４】
請求項８に記載のパック押さえ装置は、請求項５又は６記載の構成において、前記ヘッドが、重力によりパックの上縁部に押し付けられるものである。
【００１５】
請求項９に記載のパックスタンドは、複数枚重ね合わされたパックを保持するスタンド本体と、このスタンド本体に支持され、前記ヘッドを前記パックに臨み得るように配した請求項１〜８何れかに記載のパック押さえ装置とを具備してなる。
【００１６】
請求項１０に記載のパックスタンドは、複数枚重ね合わされたパックを起立した状態で保持するスタンド本体と、このスタンド本体に支持され、前記ヘッドを前記パックに臨み得るように配した請求項１〜８何れかに記載のパック押さえ装置とを具備してなる。
【発明の効果】
【００１７】
以上説明したように本発明によれば、二枚以上重なった状態のパックが取り出されてしまうという不具合を抑制し得るパック押さえ装置、及び、当該パック押さえ装置を備えたパックスタンドを提供することができるものとなる。
【図面の簡単な説明】
【００１８】
【図１】本発明の一実施形態を示す斜視図。
【図２】同実施形態における正面図。
【図３】同実施形態における右側面図。
【図４】同実施形態における左側面図。
【図５】同実施形態における分解斜視図。
【図６】同実施形態における拡大した概略右側面図。
【図７】同実施形態における拡大した概略右側面図。
【図８】同実施形態におけるパックの取り出しを説明するための概略右側面図。
【図９】同実施形態におけるパックの取り出しを説明するための概略右側面図。
【図１０】他の実施形態を説明するための概略側面図。
【発明を実施するための形態】
【００１９】
以下、本発明の一実施形態を、図１〜９を参照して説明する。
【００２０】
この実施形態は、本発明を、スーパーマーケットの総菜売り場等に配置して用いられるパックスタンドＳに適用した場合のものである。
【００２１】
パックスタンドＳは、複数枚重ね合わされたパックＰを保持するスタンド本体Ａと、このスタンド本体Ａに支持されたパック押さえ装置Ｂとを備えている。スタンド本体Ａは、複数枚重ね合わされたパックＰを起立した状態で保持し得るものである。パック押さえ装置Ｂは、複数枚重ね合わされた同一形状のパックＰの縁部ｐｅに臨み得るように設けられたヘッド５を備えている。以下、詳述する。
【００２２】
スタンド本体Ａは、安定板１上に支柱２を立設し、その支柱２上にメインフレーム３を支持させたものである。
【００２３】
安定板１は、床等の設置面上に配される左右対をなす脚羽根１１とこれら脚羽根１１間に介設された水平フレーム１２とを備えている。水平フレーム１２の左右方向中央には、前記支柱２が立設されている。
【００２４】
支柱２は、前記安定板１に固定された固定フレーム２１と、この固定フレーム２１内にスライド可能に嵌装されたスライドフレーム２２と、このスライドフレーム２２を所望のスライド位置において固定するための操作グリップ２３ａを有した固定機構２３とを具備してなる。
【００２５】
メインフレーム３は、前記スライドフレーム２２の上端に固着された底板３１と、この底板３１の左右両側端に立設された左右の側フレーム３２と、左右の側フレーム３２の上下方向中間部間に架設された前後の横架フレーム３３、３４とを具備してなる。
【００２６】
底板３１は、例えば、板金製のものであり、前記支柱２のスライドフレーム２２上に位置する略水平な後半領域３１１と、この後半領域３１１の前に設けられてなり、斜め後上方に向けて開放された側面視コ字型をなす前半領域３１２とを備えてなる。
【００２７】
前半領域３１２は、前壁３１２ａと、この前壁３１２ａの下縁に連続し後方に延びる底壁３１２ｂと、この底壁３１２ｂの後縁から上方に延びる後壁３１２ｃとを備えたものであり、前記後壁３１２ｃの上縁が前記後半領域３１１に連続している。
【００２８】
なお、底板３１には、底壁３１２ｂに沿って前後方向にスライド可能なスライドトレー３１３が支持されている。スライドトレー３１３は、袋を収納した箱体等を必要に応じて支持することができるものである。スライドトレー３１３は、前壁３１２ａと後壁３１２ｃの下縁に形成された貫通孔ｎ１、ｎ２を通過し得るようになっている。
【００２９】
左右の側フレーム３２は、それぞれ、前記底板３１における前壁３１２ａの内面に固定され斜め後上方に延びる前フレーム部材３２１と、この前フレーム部材３２１の上端に連続し後方に延びる上フレーム部材３２２と、この上フレーム部材３２２の後端に連続し下方に垂下する後フレーム部材３２３とを備えたもので、前記後フレーム部材３２３の下端部は前記底板３１の後半領域３１１に固定されている。
【００３０】
前フレーム部材３２１と後フレーム部材３２３との間には、上側と下側に、二本の前後フレーム部材３２４、３２５が架設されている。これら前後フレーム部材３２４、３２５には、例えば、食品を取り上げるためのトング等を掛けておくための用具掛けＣ（図２の左側等を参照）や、輪ゴム等を収納しておくための総菜備品トレーＤ（図２の右側等を参照）が着脱可能に係止されるようになっている。
【００３１】
前の横架フレーム３３は、下側の前後フレーム部材３２５の中間部間に架設された断面円形をなす棒状のものである。
【００３２】
後の横架フレーム３４は、下側の前後フレーム部材３２５の後端部間に架設された断面円形をなす棒状のものである。後の横架フレーム３４は、前の横架フレーム３３と略同じ高さ位置に設けられている。すなわち、後の横架フレーム３４は、正面視において前記前の横架フレーム３３の略同一の高さ位置における後側に位置されたもので、当該前の横架フレーム３３に対して平行に配されている。
【００３３】
これら前後の横架フレーム３３、３４に、パック押さえ装置Ｂが左右方向にスライド可能に支持されている。この実施形態においては、二組のパック押さえ装置Ｂが取付けられている。
【００３４】
続いて、以下、パック押さえ装置Ｂについて説明する。
【００３５】
各パック押さえ装置Ｂは、複数枚重ね合わされた同一形状のパックＰの縁部ｐｅに臨み得るように設けられたヘッド５を備えている。そして、ヘッド５が、最も外側に配されたパックＰを順次一枚ずつ取り出す際に、前記最も外側に配されたパックＰの縁部ｐｅと次のパックＰの縁部ｐｅとの間に一時的に介在して、前記外側に配されたパックＰと前記次のパックＰとの分離を促すための捌き用の引っ掛け要素たる爪ｔを備えている。
【００３６】
ここで、パックＰは、コロッケ等の食品（いわゆる惣菜）を包装する既知のものである。パックＰは、開口端に縁部ｐｅを構成する鍔部ｐａを有したパック本体Ｐ１と、開口端に縁部ｐｅを構成する鍔部ｐａを有した蓋体Ｐ２とを備えており、これらパック本体Ｐ１と蓋体Ｐ２とはヒンジ部ｈを介して一体に連設されている。パックＰを構成するパック本体Ｐ１及び蓋体Ｐ２は、ヒンジ部ｈを介在させており、合成樹脂により一体に成形された通常のものである。パック本体Ｐ１と蓋体Ｐ２とは略同一の上下及び左右寸法をなしている。複数枚が重ね合わされ得る未使用状態のパックＰは、パック本体Ｐ１と蓋体Ｐ２とがともに同じ方向に開放した状態、すなわち、パック本体Ｐ１に対して蓋体Ｐ２が開かれた状態となる展開状態をとっている。そして、前記展開状態のパックＰは、厚み方向に複数枚重ね合わされており、重ね合わされたパックＰが対応するパック押さえ装置Ｂの前側に配設されている。
【００３７】
この実施形態では、スタンド本体Ａに重ね合わされたパックＰが設置され、設置された状態でパック押さえ装置ＢがパックＰに係わり合うようになっている。スタンド本体Ａは、二組のパック押さえ装置Ｂを支持しており、これら二組のパック押さえ装置Ｂの前に、それぞれ、複数枚重ね合わされたパックＰを設置することができるようになっている。
【００３８】
各パック押さえ装置Ｂは、引っ掛け要素たる爪ｔを具備したヘッド５と、このヘッド５を回動可能に支持するアーム６と、このアーム６を上下方向にスライド自在に保持するベース７とを具備している。
【００３９】
ヘッド５は、この実施形態の例では、側面視Ｌ字状をなすものであり、引っ掛け要素である鋭利な爪ｔの先端をパックＰ側に突出させている。ヘッド５は、爪ｔを前記パックＰの重ね合わせ方向に所定のピッチで複数個備えたものであり、パックＰの縁部ｐｅすなわち前後方向に重ね合わされて起立した状態のパックＰの上縁部ｐｅ１に臨み得るように設けられている。この実施形態においては、前記ヘッド５は、当該ヘッド５と、前記アーム６に作用する重力によりパックＰの上縁部ｐｅ１に押し付けられるようになっている。
【００４０】
ヘッド５は、前記アーム６の左右幅よりも左右幅が小さく設定された基端部５１１と、前記アーム６の左右幅よりも左右幅が大きく設定された先端部５１２とを備えた背面板５１と、この背面板５１の先端部５１２の両側端から前方に突設された左右の側面板５２とを備えたもので、前記側面板５２の下縁に引っ掛け要素である爪ｔが複数並んだ状態に形成されている。背面板５１の基端部５１１の両側縁には取付軸ｊを有した脚５１３が設けられており、それらの取付軸ｊを介してこのヘッド５が前記アーム６に対して回動自在に取付けられている。
【００４１】
アーム６は、上下方向に細長い短冊状のものであり、下端部に前方に突出する抜け止め片６１を有するとともに上端部における両側縁部に前方に突出する枢着片６２を備えている。左右の枢着片６２には前記ヘッド５の取付軸ｊが内側から係合する取付孔６２１が形成されている。前記ヘッド５の取付軸ｊは短寸なものであり、部材の一時的な弾性変形を利用してこれらの取付軸ｊを前記アーム６の取付孔６２１に係わり合うようにしている。
【００４２】
なお、このアーム６の左右方向の幅寸法は、前記ヘッド５の左右の側面板５２間の内法寸法よりも小さく設定されている。そのため、前記ヘッド５は、パックＰの上縁部ｐｅ１に臨む使用姿勢（Ｕ）から前記爪ｔを有した側面板５２がアーム６の両側を通過して後方に突出する退避姿勢（Ｎ）までの間で、前記取付軸ｊ回りに自在に回動し得るようになっている。
【００４３】
ベース７は、前縁側の中央部に前記アーム６が通過可能な凹陥部７１１を有し前記前の横架フレーム３３及び後の横架フレーム３４上に載置される基板７１と、この基板７１の左右両側における前縁部から下方に延出され前記前の横架フレーム３３の前側に係わり合う前面板７２と、前記基板７１の後縁から下方に延出され前記後の横架フレーム３４の背面側に係わり合う背面板７３と、後傾した状態で前記基板７１に立設されその前面で前記凹陥部７１１を通過するアーム６の背面を案内する案内板７４とを具備してなる。
【００４４】
ベース７は、前記前後の横架フレーム３３、３４に対して着脱自在及び左右方向にスライド自在に設けられたもので、このベース７の案内板７４と前記前の横架フレーム３３との間には、前記アーム６が上下方向にスライドできる隙間ｓｋが形成されるようにしてある。
【００４５】
パックＰが設置されていない状態では、図７に示すように、パック押さえ装置Ｂのヘッド５、及び、アーム６は自重により最下点で保持されている。このときヘッド５は、背面板５１がアーム６の前面に略重なり側面板５２がアーム６の背面側に突出した退避位置（Ｎ）に保持される。この姿勢では、ヘッド５の側面板５２が前側に突出することがないため、スタンド本体ＡにパックＰ以外の箱類、例えば、袋が収容された箱体を載置することも可能である。すなわち、スタンド本体Ａに対してパック押さえ装置Ｂを移設することなく、パックＰ以外の箱類をスタンド本体Ａに載置することも可能である。
【００４６】
パックスタンドＳのスタンド本体ＡにパックＰを設置するとともにそのパックＰに対してパック押さえ装置Ｂを関連させる操作の一例を示せば次のとおりである。
【００４７】
まず、パック押さえ装置Ｂをスタンド本体Ａに対して左右方向に移動させ、所定の位置にセットする。すなわち、パックＰが載置されるべき底板３１の前半領域３１２上の位置にパック押さえ装置Ｂを移動させる。より具体的には、パック押さえ装置Ｂを、横架フレーム３３、３４に対してスライドさせることにより移動させる。
【００４８】
次いで、パック押さえ装置Ｂのヘッド５を使用姿勢（Ｕ）にまで回動させるとともにこのヘッド５、及び、アーム６を重力に抗して上方に持ち上げ、そのヘッド５の下に展開状態で複数枚重ね合わせたパックＰを起立した状態で配置する。このとき、利用者がパックＰの外面側を把持できるようにするため、パックＰは、その外面側が前側を向く状態で底板３１の前半領域３１２上に載置される。
【００４９】
しかる後に、ヘッド５の持ち上げ操作を解除すると前記ヘッド５は重力により降下して、ヘッド５の爪ｔがパックＰの上縁部ｐｅ１に係わり合うことになる。すなわち、前後方向に重ね合わせた複数枚のパックＰが、スタンド本体Ａの底板３１の前半領域３１２上に載置された状態で、パック押さえ装置Ｂのアーム６に沿った起立姿勢を採ることになる。そして、パックＰの上縁部ｐｅ１、より具体的には、重ね合わされた複数枚のパックＰにおける前側（利用者の手前側に位置する側）のパックＰの上縁部ｐｅ１にヘッド５の爪ｔが重力により圧接されることになる。
【００５０】
以上のようにして、スタンド本体ＡにパックＰを設置するとともにその設置されたパックＰに対してパック押さえ装置Ｂを関連させる操作が行われる。
【００５１】
このようにして、複数枚のパックＰをパックスタンドＳに設置しておけば、最も外側すなわち前側に位置しているパックＰを、次に位置する他のパックＰと分離させて、取り出すことが可能となる。換言すれば、このパックスタンドＳであれば、複数枚積層された状態のパックＰから、一枚のパックＰを順次取り出すことができるものとなっている。
【００５２】
すなわち、最も前側に位置するパックＰを、その外面側を把持した上で引き出すと、そのパックＰの上縁部ｐｅ１がパックＰ自体の弾性変形やヘッド５の一時的な回動すなわち上動を惹起しつつ爪ｔを乗り越えて前方に移動することになる。そして、その爪ｔは、最も前側のパックＰの上縁部ｐｅ１と次のパックＰの上縁部ｐｅ１との間に介入することになり、次のパックＰは最も前側のパックＰに連帯して前方に移動することが阻止されることになる。
【００５３】
つまり、利用者が最も外側に位置するパックＰを取り出そうとした際に、万が一、その次のパックＰをも取り出しそうになった場合であっても、このパックスタンドＳであれば、それら二つのパックＰが一緒に取り出されてしまうという不具合が抑制されるものとなっている。すなわち、最も外側に位置するパックＰとそのパックＰに添着した次のパックＰとがともに爪ｔに係わり合うものとなるため、次のパックＰが爪ｔにより捌かれて、取り出し対象たる最も外側に位置するパックＰから好適に分離されることになる。このため、このパック押さえ装置Ｂを備えたパックスタンドＳであれば、二枚のパックＰが同時に引き出されてしまうという不具合を効果的に抑制することが可能になる。
【００５４】
以上説明したように、本実施形態に係るパックスタンドＳは、スタンド本体Ａにパック押さえ装置Ｂを支持させたものである。そして、パック押さえ装置Ｂは、複数枚重ね合わされた同一形状のパックＰの縁部ｐｅに臨み得るように設けられたヘッド５を備えてなり、前記ヘッド５が、最も外側に配されたパックＰを順次一枚ずつ取り出す際に、前記最も外側に配されたパックＰの縁部ｐｅと次のパックＰの縁部ｐｅとの間に一時的に介在して、前記外側に配されたパックＰと前記次のパックＰとの分離を促すための捌き用の引っ掛け要素たる爪ｔを備えている。このため、二枚以上重なった状態の複数のパックＰが一緒に纏めて取り出されてしまうという不具合を抑制し得るものとなっている。つまり、本実施形態に係るパック押さえ装置Ｂ、及び、バックスタンドＳであれば、食品等を包装しようとする利用者が、誤って複数枚のパックＰを纏めて取り出してしまい、そのまま使用してしまうという事態を好適に抑制することができるものとなる。よって、利用者に対して過剰にパックＰを提供してしまうという不経済を好適に抑制し得るものとなっている。
【００５５】
引っ掛け要素は、種々の構成を採用することができるが、この実施形態では、先端をパックＰ側に突出させたもの、より具体的には、鋭利な先端をパック側に突出させた爪ｔである。このため、比較的簡易な構成で引っ掛け要素を形成することができるものとなっている。
【００５６】
前記ヘッド５が、前記爪ｔを前記パックＰの重ね合わせ方向に所定のピッチで複数個備えているものであるため、二枚以上重なった状態の複数のパックＰをより確実に分離させ得るものとなっている。すなわち、本実施形態のものは、引っ掛け要素である爪ｔを奥行き方向に複数配してなるものであるため、大量の枚数を重ねたパックＰに対しても好適に対応することができるものとなっている。しかも、万が一、複数のパックＰが一の爪ｔと係わり合ったにもかかわらず当該複数のパックＰ同士が分離しなかったとしても、その次に配された他の爪ｔと係わり合うものとなり、外側に配されたパックＰと次のパックＰとの分離がより確実に行われ得るものとなる。
【００５７】
前記ヘッド５が、前後方向に重ね合わされて起立した状態のパックＰの上縁部ｐｅ１に臨み得るように設けられたものである。このため、パックＰを横にして載置した場合と比べて、奥行き寸法が要求され難いものとなり、スペースを効率良く利用することができるものとなっている。
【００５８】
前記ヘッド５が、重力によりパックＰの上縁部ｐｅ１に押し付けられるものであるため、ヘッド５の自重を利用してパックＰの上縁部ｐｅ１に爪ｔを係わり合わせることができるようになっている。
【００５９】
パックスタンドＳは、複数枚重ね合わされたパックＰを保持するスタンド本体Ａと、このスタンド本体Ａに支持され、前記ヘッド５を前記パックＰに臨み得るように配したパック押さえ装置Ｂとを具備してなるものである。このため、パックＰを好適に保持するとともに当該パックＰに対してパック押さえ装置Ｂを係わり合わせることができるものとなっている。
【００６０】
パックスタンドＳは、複数枚重ね合わされたパックＰを起立した状態で保持するスタンド本体Ａと、このスタンド本体Ａに支持され、前記ヘッド５を前記パックＰに臨み得るように配したパック押さえ装置とを具備してなる。このため、奥行きをとり難いものとなり、コンパクト化を行うための設計の自由度に優れたパックスタンドＳを提供することができるものとなっている。
【００６１】
なお、本発明は、以上に詳述した実施形態に限られるものではない。
【００６２】
引っ掛け要素は、最も外側に配されたパックを順次一枚ずつ取り出す際に、前記最も外側に配されたパックの縁部と次のパックの縁部との間に一時的に介在して、前記外側に配されたパックと前記次のパックとの分離を促すための捌き用のものであればよい。すなわち、引っ掛け要素は、本実施形態に示した様に、鋭利な先端を有した爪に限られるものではなく、種々のものを適用することができる。引っ掛け要素としては、例えば、一定の弾性反発力を有するストリング体ないし針状部材を複数集めて構成されたブラシ状のものであってもよい。
【００６３】
また、前記実施形態においては、ヘッド５における左右の側面板５２の下縁に鋸歯状に複数の引っ掛け要素である爪ｔを形成した場合について説明したが、このようなものには限定されない。本発明は、少なくとも単一の爪があれば上述した作用を得られるものとなる。爪は、前後及び左右寸法が近似した突起状のものには限られるものではなく、所定の方向に連続した比較的長尺の突条であってもよい。パックＰの抜き取り方向に対して左右方向に連続した突条の爪を有したヘッドの一例を示せば、例えば、下面に複数の突条爪を所定のピッチで配した洗濯板状のものが考えられる。
【００６４】
上述した実施形態では、重力によりヘッドをパックの上縁部に押し付け得るようにした場合のものについて説明したが、本発明はこのようなものには限られない。例えば、部材の弾性反発力などを利用して、ヘッドの引っ掛け要素をパックの縁部に係わり合わせるようにしてもよい。より具体的な一例としては、弾性変形可能なアームと、このアームの上端に設けられたヘッドとを一体に構成しておき、アームの弾性力によってヘッドの引っ掛け要素をパックの縁部に係わり合わるようにしてもよい。この例の場合、パックの上縁部に引っ掛け要素を係わり合わせる場合には、前記アームをベースに対して自重では落下しない程度に保持させておくのが望ましい。種々の寸法のパックに対応させるには、適宜の方法で、前記アームをベースに対して上下位置変更可能に支持させるようにしておけばよい。
【００６５】
パック押さえ装置は、スタンド本体に対して位置変更可能に取付けるようにしたものに限られるものではない。つまり、パック押さえ装置のみにより所期の目的を達成することができる。一方で、スタンド本体に対して、パック押さえ装置を位置変更可能にしておけば、パックを配置する上での自由度を高めることができるものとなる。すなわち、このようにすれば、スタンド本体の片側に、複数枚のパックＰを配置し、他方の片側に別の物品を配置するようなことができることになり好適である。なお、パック押さえ装置は、スタンド本体から取り外すこともでき、邪魔にならない位置に移動させておくこともできるものとなっている。
【００６６】
パック押さえ装置、及び、パックスタンドは、必ずしもパックを立てた姿勢で配置するものに限られないのはもちろんである。すなわち、複数枚重ね合わせたパックを平置きにし、周縁部の何れかにパック押さえ装置のヘッドを係わり合わせるようにしてもよい。その一方で、複数枚重ね合わせたパックを起立した姿勢で配するようにすれば、パックスタンド及びパック押さえ装置の前後方向の寸法を無理なく縮小することができ、使い勝手が大幅に向上するものとなる。
【００６７】
ここで、他の実施形態であるパックスタンドＳについて、図１０を参照して説明する。なお、当該他の実施形態において、上述した実施形態と同一又は対応する構成については同一の符号を付して説明するものとし、説明を省略する。この実施形態のものは、複数枚重ね合わされたパックＰを平置きにしたもの、つまり、上下方向に重ね合わされた状態のパックＰに対応したパック押さえ装置Ｂを備えている。
【００６８】
パックスタンドＳは、パックＰを下側から支持する下部材７と、この下部材７に対して立設されパックＰの一方の縁部ｐｅが当接し得る側部材８とを主体に構成されたスタンド本体Ａと、このスタンド本体Ａに対して回動可能に支持されたヘッド５を備えたパック押さえ装置Ｂとを備えている。
【００６９】
スタンド本体Ａの下部材７は、その一端側にヘッド５を回動可能に支持している。下部材７は、パックＰの下側に配されるものであり、例えば、パックＰの大きさに対応して適宜の方法でその寸法を変更し得るようになっている。
【００７０】
スタンド本体Ａの側部材８は、パックＰにおける一方の縁部ｐｅ（図１０における左側の縁部ｐｅ）が当接し得る当接面８ａを有し、パックＰの姿勢を整えることができるようになっている。
【００７１】
パック押さえ装置Ｂのヘッド５は、上下方向に重ね合わされた状態のパックＰの他方の縁部ｐｅ（図１０における右側の縁部ｐｅ）に臨み得るように設けられている。このヘッド５は、付勢手段Ｗにより、引っ掛け要素たる爪ｔがパックＰの縁部ｐｅに押し付けられるようになっている。なお、付勢手段Ｗは、ヘッド５をパックＰ側に付勢するためのものであるが、コイルスプリングや板バネ等、種々のものを適用することができる。このようなものであっても、所期の目的を達成することができる。
【００７２】
スタンド本体の構成は、上述した実施形態に示されたものには、限定されないのはもちろんのことであり、本発明の趣旨を逸脱しない範囲で種々変更が可能である。例えば、パック押さえ装置を取付けるための横架材たる横架フレームは、前後に平行なものに限らず、上下に平行なものであってもよいし、単一の横架材で構成してもよい。
【００７３】
パック押さえ装置の部品構成、部品点数、形状等は種々のものを採用することができる。例えば、上述した実施形態で示したパック押さえ装置のヘッド、アーム、及び、ベースの部品構成、部品点数、形状等は、種々の構成を採用することができるのはもちろんのことである。例えば、ヘッドは、側面視Ｌ字状をなすものには限られず、例えば、側面視において直線状のものであってもよい。ベースは、天板上に直接的に載置され得るものであってもよい。
【００７４】
パックは、種々の形状のものが考えられ、上述した実施形態のものに限られるものではない。例えば、パックが、蓋体を備えていないものであってもよい。また、パックが、可撓性を備えたシート状のものであってもよい。
【００７５】
引っ掛け要素と係わり合うパックの縁部は、パックにおける長手方向の縁部たる長辺部分であってもよいし、パックにおける短手方向の縁部たる短辺部分であってもよい。例えば、上述した実施形態では、前後方向にパックを積み重ねた場合、引っ掛け要素と係わり合うパックの上縁部は、短辺の部分であったが、これを長辺の部分としてもよい。また、上下方向にパックを積み重ねた場合、引っ掛け要素と係わり合うパックの縁部は、短辺の部分であったが、これを長辺の部分としてもよい。
【００７６】
その他、各部の具体的構成についても上記実施形態に限られるものではなく、本発明の趣旨を逸脱しない範囲で種々変形が可能である。
【符号の説明】
【００７７】
５…ヘッド
Ａ…スタンド本体
Ｂ…パック押さえ装置
Ｐ…パック
ｐｅ…縁部
Ｓ…パックスタンド
ｔ…爪（引っ掛け要素）
【図１】
2016145054.tif 000003
【図２】
2016145054.tif 000004
【図３】
2016145054.tif 000005
【図４】
2016145054.tif 000006
【図５】
2016145054.tif 000007
【図６】
2016145054.tif 000008
【図７】
2016145054.tif 000009
【図８】
2016145054.tif 000010
【図９】
2016145054.tif 000011
【図１０】
2016145054.tif 000012